(57)【特許請求の範囲】
【請求項１】
ワイヤレス通信システムにおいて使用するユーザ装置において実施される方法であって、
前記ユーザ装置が、セルのセル識別（ＩＤ）を決定すること；
前記ユーザ装置が、前記セルのためのシステム時間情報を取得すること、
前記ユーザ装置が、前記セルＩＤ及び前記システム時間情報に基づいて周波数ホッピングで送信信号に使用する資源を決定すること、
を含む、方法。
【請求項２】
前記ユーザ装置（ＵＥ）がセルへ前記資源に関する送信信号を送信すること、を含む請求項１の+方法。
【請求項３】
前記セルが前記資源に関して前記ユーザ装置（ＵＥ）によって転送される送信信号を受信すること、を更に含む、請求項１の方法。
【請求項４】
送信信号に使用する前記資源を決定することは、
前記セルＩＤ及び前記システム時間情報に基づいて疑似乱数（ＰＮ）発生器を初期化すること、
前記ＰＮ発生器によってＰＮシーケンスを生成すること、
ＰＮシーケンスに基づいて送信信号に使用する前記資源を決定すること、
を含む、請求項１の方法。
【請求項５】
前記システム時間情報はシステムフレーム番号（ＳＦＮ）を含み、
前記ＰＮ発生器を初期化することは無線フレームのための前記セルＩＤ及び前記ＳＦＮに基づいて各無線フレームにおける前記ＰＮ発生器のための初期値を決定すること、前記無線フレームのための前記初期値によって各無線フレームにおける前記ＰＮ発生器を初期化すること、を含む、請求項４の方法。
【請求項６】
各無線フレームにおける前記ＰＮ発生器のための前記初期値は前記セルＩＤのためのＬ個のビットと前記ＳＦＮのＭ個の最下位ビットビット（ＬＳＢ）のためのＭ個のビットを含む、但し、Ｌ及びＭは各々１以上である、請求項５の方法。
【請求項７】
前記システム時間情報はシステムフレーム番号（ＳＦＮ）を含み、送信信号に使用する前記資源は前記セルＩＤ及び前記ＳＦＮに基づいて各無線フレームにおいて疑似乱数（ＰＮ）シーケンスを生成すること、ホッピング関数及び前記ＰＮシーケンスに基づいて送信信号に使用するサブバンドを決定すること、前記サブバンドに基づいて送信信号に使用する前記資源を決定することを含む、請求項１の方法。
【請求項８】
送信信号に使用する前記資源を決定することは更にミラーリング関数及び前記ＰＮシーケンスに基づいてミラーリングを使用するべきかどうか決定すること、更にミラーリングを使用するかどうかに基づいて前記資源を決定することを含む、請求項４の方法。
【請求項９】
前記ＰＮシーケンスは前記ＳＦＮの少なくとも１つのビットに基づいて各無線フレームにおいて生成され、前記ホッピング関数は少なくとも２つの無線フレームの周期性を有する、請求項７の方法。
【請求項１０】
前記ＰＮシーケンスは前記ＳＦＮの２つの最下位ビット（ＬＳＢ）に基づいて各無線フレームにおいて生成され、前記ホッピング関数は４つの無線フレームの周期性を有する、請求項７の方法。
【請求項１１】
前記システム時間情報はシステムフレーム番号（ＳＦＮ）を含み、送信信号に使用する前記資源を決定することは前記セルＩＤに基づいて各無線フレームにおいて疑似乱数（ＰＮ）シーケンスを生成すること、前記ＳＦＮに基づいて各無線フレームのためのオフセットを決定すること、ホッピング関数に基づいて送信信号に使用するサブバンドを決定すること、前記サブバンドに基づいて送信信号に使用する前記資源を決定することを含む、請求項１の方法。
【請求項１２】
送信信号に使用する前記資源を決定することは更にミラーリング関数、前記ＰＮシーケンス及び前記オフセットに基づいてミラーリングを使用するべきかどうかを決定すること、更にミラーリングを使用するかどうかに基づいて送信信号に使用する前記資源を決定することを含む、請求項１１の方法。
【請求項１３】
前記セルによって送られる放送チャネルから前記システム時間情報を取得することを更に含む、請求項１の方法。
【請求項１４】
前記システム時間情報が利用できない場合、周波数ホッピングによって送信しないことを更に含む、請求項１の方法。
【請求項１５】
ランダムアクセス手順の間、周波数ホッピングによって送信しないことを更に含む、請求項１の方法。
【請求項１６】
前記ユーザ装置が周波数ホッピングによって割当を受信すること；前記システム時間情報が利用できない場合、割当を無効として処理すること、を含む請求項１の方法。
【請求項１７】
前記ＳＦＮが利用できない場合、前記ＳＦＮのためのデフォルト値又はホッピング関数のためのサブバンドのデフォルト数を使用することを更に含む、請求項７の方法。
【請求項１８】
送信信号に使用する前記資源を決定することは前記セルから少なくとも１つの仮想資源ブロック（ＶＲＢ）の割当を得ること、ホッピング関数及び前記セルＩＤ及び前記システム時間情報に基づいて生成される疑似乱数（ＰＮ）シーケンスに基づいて前記少なくとも１つのＶＲＢを少なくとも１つの物理資源ブロック（ＰＲＢ）にマップすることを含み、前記資源に関する送信信号を送信することは物理的アップリンク共有チャネル（ＰＵＳＣＨ）のための前記少なくとも１つのＰＲＢに関する送信信号を前記セルに送信することを含む、請求項２の方法。
【請求項１９】
セルのセル識別（ＩＤ）を決定する手段と；
前記セルのためのシステム時間情報を得る手段と；
前記セルＩＤ及び前記システム時間情報に基づいて周波数ホッピングで送信信号に使用する資源を決定する手段と、
セルへ資源に関する送信信号を送信する手段と、を具備するワイヤレス通信装置。
【請求項２０】
前記システム時間情報はシステムフレーム番号（ＳＦＮ）を含み、送信信号に使用する前記資源を決定する前記手段は前記セルＩＤ及び無線フレームのための前記ＳＦＮに基づいて各無線フレームにおいて疑似乱数（ＰＮ）発生器のための初期値を決定する手段と、前記無線フレームのための前記初期値によって各無線フレームにおいて前記ＰＮ発生器を初期化する手段と、前記ＰＮ発生器によって各無線フレームにおいてＰＮシーケンスを発生する手段と、前記無線フレームのための前記ＰＮシーケンスに基づいて各無線フレームにおいて送信信号に使用する前記資源を決定する手段と、を具備する、請求項１９のワイヤレス通信装置。
【請求項２１】
前記システム時間情報はシステムフレーム番号（ＳＦＮ）を含み、送信信号に使用する前記資源を決定する前記手段は前記セルＩＤ及び前記ＳＦＮに基づいて各無線フレームにおいて疑似乱数（ＰＮ）シーケンスを生成する手段と、ホッピング関数及び前記ＰＮシーケンスに基づいて送信信号に使用するサブバンドを決定する手段と、前記サブバンドに基づいて送信信号に使用する前記資源を決定する手段を含む、請求項１９のワイヤレス通信装置。
【請求項２２】
送信信号に使用する前記資源を決定する前記手段はミラーリング関数及び前記ＰＮシーケンスに基づいてミラーリングを使用するべきかどうか決定する手段と、更にミラーリングを使用するかどうかに基づいて送信信号に使用する前記資源を決定する手段とを含む、請求項２１のワイヤレス通信装置。
【請求項２３】
前記ＰＮシーケンスは前記ＳＦＮの２つの最下位ビット（ＬＳＢ）に基づいて各無線フレームにおいて生成され、前記ホッピング関数は４つの無線フレームの周期性を有する、請求項２１のワイヤレス通信装置。
【請求項２４】
放送チャネルから前記セルによって送信される前記システム時間情報を取得する手段を更に具備する、請求項１９のワイヤレス通信装置。
【請求項２５】
送信信号に使用する前記資源を決定する前記手段は前記セルから少なくとも１つの仮想資源ブロック（ＶＲＢ）の割当を得る手段と、ホッピング関数及び前記セルＩＤ及び前記システム時間情報に基づいて生成される疑似乱数（ＰＮ）シーケンスに基づいて前記少なくとも１つのＶＲＢを少なくとも１つの物理資源ブロック（ＰＲＢ）にマッピングする手段とを含み、前記資源に関する送信信号を送信する前記手段は物理的アップリンク共有チャネル（ＰＵＳＣＨ）のための前記少なくとも１つのＰＲＢに関する送信信号を前記セルに送信する手段を含む、請求項１９のワイヤレス通信装置。
【請求項２６】
セルのセル識別（ＩＤ）を決定し、前記セルのためのシステム時間情報を取得し、前記セルＩＤ及び前記システム時間情報に基づいて周波数ホッピングによって送信信号に使用する資源を決定し、前記セルに前記資源に関する送信信号を送信するように構成される少なくとも１つのプロセッサにより構成されるワイヤレス通信装置。
【請求項２７】
前記システム時間情報はシステムフレーム番号（ＳＦＮ）を含み、前記少なくとも１つのプロセッサは前記セルＩＤ及び無線フレームのための前記ＳＦＮに基づいて各無線フレームにおいて疑似乱数（ＰＮ）発生器のための初期値を決定し、前記無線フレームのための前記初期値によって各無線フレームにおいて前記ＰＮ発生器を初期化し、前記ＰＮ発生器によって各無線フレームにおいてＰＮシーケンスを発生し、前記無線フレームのための前記ＰＮシーケンスに基づいて各無線フレームにおいて送信信号に使用する前記資源を決定するように構成される、請求項２６のワイヤレス通信装置。
【請求項２８】
前記システム時間情報はシステムフレーム番号（ＳＦＮ）を含み、前記少なくとも１つのプロセッサは前記セルＩＤ及び前記ＳＦＮに基づいて各無線フレームにおいて疑似乱数（ＰＮ）シーケンスを生成し、ホッピング関数及び前記ＰＮシーケンスに基づいて送信信号に使用するサブバンドを決定し、前記サブバンドに基づいて送信信号に使用する前記資源を決定するように構成される、請求項２６のワイヤレス通信装置。
【請求項２９】
前記少なくとも１つのプロセッサはミラーリング関数及び前記ＰＮシーケンスに基づいてミラーリングを使用するべきかどうか決定し、更にミラーリングを使用するかどうかに基づいて送信信号に使用する前記資源を決定するように構成される、請求項２８のワイヤレス通信装置。
【請求項３０】
前記ＰＮシーケンスは前記ＳＦＮの２つの最下位ビット（ＬＳＢ）に基づいて各無線フレームにおいて生成され、前記ホッピング関数は４つの無線フレームの周期性を有する、請求項２８のワイヤレス通信装置。
【請求項３１】
前記少なくとも一つのプロセッサは前記セルによって放送チャネルから送信される前記システム時間情報を取得するように構成される請求項２６のワイヤレス通信装置。
【請求項３２】
前記少なくとも１つのプロセッサは前記セルから少なくとも１つの仮想資源ブロック（ＶＲＢ）の割当を取得し、ホッピング関数及び前記セルＩＤ並びに前記システム時間情報に基づいて生成される疑似乱数（ＰＮ）シーケンスに基づいて前記少なくとも１つのＶＲＢを少なくとも１つの物理資源ブロック（ＰＲＢ）にマッピングし、物理的アップリンク共有チャネル（ＰＵＳＣＨ）のための前記少なくとも１つのＰＲＢに関する送信信号を前記セルに送信するように構成される、請求項２６のワイヤレス通信装置。
【請求項３３】
少なくとも１つのコンピュータにセルのセル識別（ＩＤ）を決定させるコードと、
前記少なくとも１つのコンピュータに前記セルのためのシステム時間情報を取得させるコードと、
前記少なくとも１つのコンピュータに前記セルＩＤ及び前記システム時間情報に基づいて周波数ホッピングによって送信信号に使用する資源を決定させるコードと、
前記少なくとも１つのコンピュータに前記セルに前記資源に関する送信信号を送信させるコードと
を記憶するコンピュータ可読記憶媒体。
【発明の詳細な説明】
【技術分野】
【０００１】
本開示は、一般に通信に関し、特にワイヤレス通信ネットワークに周波数ホッピングを行うための技術に関する。
【背景技術】
【０００２】
ワイヤレス通信ネットワークは、音声、ビデオ、パケットデータ、メッセージング、放送、などのような種々の通信コンテンツを提供するために広く開発されている。これらの無線ネットワークは、利用できるネットワーク資源を共有することによって多数のユーザをサポートできるマルチアクセスネットワークであってもよい。この種のマルチアクセスネットワークの実例は、符号分割多重アクセス（ＣＤＭＡ）ネットワーク、時分割多重アクセス（ＴＤＭＡ）ネットワーク、周波数分割多重アクセス（ＦＤＭＡ）ネットワーク、直交ＦＤＭＡ（ＯＦＤＭＡ）ネットワーク及び単一キャリアＦＤＭＡ（ＳＣ−ＦＤＭＡ）ネットワークを含む。
【０００３】
ワイヤレス通信ネットワークは、多くのユーザ装置（ＵＥｓ）に対して通信をサポートすることができる多くの基地局を含むことができる。ＵＥは、ダウンリンク及びアップリンクを介して基地局と通信することができる。ダウンリンク（又は順方向リンク）は基地局からＵＥまでの通信リンクに関連し、アップリンク（又は逆方向リンク）はＵＥから基地局までの通信リンクに関連する。ＵＥは、ＵＥに基地局によって割り当てられる資源に関するデータ伝送を送ることができる。良い性能を得るために周波数ホッピングを有する伝送を送ることは望ましい。
【発明の概要】
【０００４】
本出願は、全て“METHOD AND APPARATUS FOR TYPE-2 PUSCH HOPPING IN LTE”と名称づけられ、２００９年１月２８日に出願された米国仮出願番号第６１／１４７，９８４号、２００９年１月３０日に出願された出願番号第６１／１４８，８１０号、２００９年２月２日に出願された第６１／１４９，２９０号及び２００９年２月４日に出願された第６１／１４９，９４５号に優先権を主張し、参照としてこの明細書に組み込まれる。
【０００５】
ワイヤレス通信ネットワークにおいて周波数ホッピングを行う技術がここに説明される。一態様では、周波数ホッピングはホッピング関数及びセル識別（ＩＤ）及びシステム時間情報の両方に基づいて実行されてもよい。システム時間情報はホッピング関数の周期性を効果的に延ばすことができる。それは種々の操作のシナリオの周波数ホッピングを確実にすることができる。
【０００６】
１つの設計では、ＵＥはセルのセルＩＤを決定することができ、セルのためのシステム時間情報を得ることができる。システム時間情報は、無線フレームのためのシステムフレーム番号（ＳＦＮ）を含めることができる。ＵＥは、セルＩＤ及びシステム時間情報に基づいて周波数ホッピングによって送信信号に使用する資源を決定することができる。ＵＥは、その後資源に関する送信信号をセルに送ることができる。
【０００７】
１つの設計では、ＵＥは無線フレーム毎にセルＩＤ及び無線フレームのためのＳＦＮに基づいて初期値を決定することができる。ＵＥは、その無線フレームのための初期値によって各無線フレームの疑似乱数（ＰＮ）発生器を初期化することができる。ＵＥは、ＰＮ発生器によって各無線フレームのＰＮシーケンスを生成することができる。ＵＥは、ホッピング関数及びＰＮシーケンスに基づいて送信信号に使用する特定のサブバンドを決定できる。ＵＥは、また、ミラーリング関数及びＰＮシーケンスに基づいてミラーリングを使用するべきか否かを決定することができる。ＵＥは、それから、ミラーリングを使用するべきか否かに基づいて、特定のサブバンドで送信信号に使用する資源を決定することができる。ＰＮシーケンスは、ＳＦＮの少なくとも一つのビット（例えば２つの最下位ビットビット（ＬＳＢ））に基づいて、各無線フレームにおいて生成することができる。ＰＮ発生器が各無線フレームにおいて初期化できるとしても、ホッピング関数及びミラーリング関数は少なくとも２つの（例えば４つの）無線フレームの周期性を有することができる。
【図面の簡単な説明】
【０００８】
【図１】ワイヤレス通信ネットワークを示す。
【図２】典型的なフレーム構造を示す。
【図３】典型的な資源構造を示す。
【図４Ａ】ＰＮ発生器のための初期値の２つの設計を示す。
【図４Ｂ】ＰＮ発生器のための初期値の２つの設計を示す。
【図５】異なる無線フレームのためのＰＮシーケンスセグメントの生成を示す。
【図６】周波数ホッピングによって資源を決定するモジュールを示す。
【図７】異なる無線フレームの異なるＰＮオフセットの使用を示す。
【図８】周波数ホッピングによって通信する方法を示す。
【図９】周波数ホッピングによって通信する装置を示す。
【図１０】基地局及びＵＥのブロック図を示す。
【発明を実施するための形態】
【０００９】
種々の態様及び開示の特徴は、下記に詳細に説明されている。
【００１０】
本願明細書において記載されている技術は、種々のワイヤレス通信ネットワーク、例えばＣＤＭＡ、ＴＤＭＡ、ＦＤＭＡ、ＯＦＤＭＡ、ＳＣ−ＦＤＭＡ及び他のネットワークに使用することができる。用語「ネットワーク」及び「システム」は、しばしば交換可能に使われる。ＣＤＭＡネットワークは、無線技術、例えば、ユニバーサル地球無線アクセス（ＵＴＲＡ）、ｃｄｍａ２０００、などを実施することができる。ＵＴＲＡは、広帯域ＣＤＭＡ（ＷＣＤＭＡ）、時分割同期ＣＤＭＡ（ＴＤ−ＳＣＤＭＡ）及びＣＤＭＡの他の変形を含む。ｃｄｍａ２０００は、ＩＳ−２０００、ＩＳ−９５及びＩＳ−８５６標準をカバーする。ＴＤＭＡネットワークは、グローバルシステムフォーモバイルコミュニケーションズ（ＧＳＭ（登録商標））のような無線技術を実施することができる。ＯＦＤＭＡネットワークは、無線技術、例えば次世代ＵＴＲＡ（Ｅ  ＵＴＲＡ）、ウルトラモバイルブロードキャスト（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などを実行することができる。ＵＴＲＡ及びＥ  ＵＴＲＡは、ユニバーサルモバイルテレコミュニケーションシステム（ＵＭＴＳ）の一部分である。周波数分割二重（ＦＤＤ）及び時間分割二重（ＴＤＤ）の両方において３ＧＰＰロング・ターム・エボリューション（ＬＴＥ）及びＬＴＥ−進展（ＬＴＥ−Ａ）はダウンリンク上でＯＦＤＭＡ及びアップリンク上でＳＣ−ＦＤＭＡを使用するＥ  ＵＴＲＡを使用するＵＭＴＳの最新版である。ＵＴＲＡ、Ｅ  ＵＴＲＡ、ＵＭＴＳ、ＬＴＥ、ＬＴＥ−Ａ及びＧＳＭは、「第３世代提携プロジェクト」（３ＧＰＰ）という名称をつけられる組織の文献に記載されている。ｃｄｍａ２０００及びＵＭＢは、「第３世代提携プロジェクト２」（３ＧＰＰ２）という名称をつけられる組織の文献に記載されている。本願明細書に記載されている技術は、他の無線ネットワーク及び無線技術だけでなく上述した無線ネットワーク及び無線技術に使用できる。明確にするため、技術の特定の態様はＬＴＥについては後述する。ＬＴＥ用語は下記の説明において多く使われる。
【００１１】
図１はＬＴＥネットワーク又は他の無線ネットワークであってもよいワイヤレス通信ネットワーク１００を示す。ネットワーク１００は、多くの発展型ノードＢｓ（ｅＮＢｓ）１１０及び他のネットワークエンティティを含むことができる。ｅＮＢは、ＵＥｓと通信する局であってもよく、また、ノードＢ、基地局、アクセスポイント、など呼ぶことができる。各ｅＮＢ  １１０は、特定の地理的領域に対して通信サービスエリアを提供し、サービスエリアの範囲内に位置するＵＥｓに対して通信をサポートする。用語「セル」は、ｅＮＢのサービスエリア及び／又は、この用語が使用されているコンテキストに依存して、このサービスエリアに貢献しているｅＮＢサブシステムを参照できる。ｅＮＢは、一つ以上（例えば３つ）のセルをサポートすることができる。
【００１２】
ＵＥｓ  １２０は無線ネットワークの全体にわたって分散されてもよく、各ＵＥは静止型又は移動型であってもよい。ＵＥは、また、移動局、端末、アクセス端末、加入者装置、局、などと呼ばれる。ＵＥは、携帯電話、パーソナル携帯情報機器（ＰＤＡ）、ワイヤレスモデム、ワイヤレス通信装置、携帯装置、ラップトップコンピュータ、コードレス電話、無線ローカルループ（ＷＬＬ）局、スマートフォーン、ネットブック、スマートブック、などであってもよい。
【００１３】
図２は、ＬＴＥに使用されるフレーム構造２００を示す。通信スケジュールは、無線フレームの単位で分割されてもよい。各無線フレームは、所定の持続期間（例えば１０ミリ秒（ｍｓ））を有することができ、０乃至９のインデックスによって１０個のサブフレームに分割することができる。各サブフレームは、２つのスロットを含むことができる。故に、各無線フレームは、０乃至１９のインデックスを有する２０個のスロットを含むことができる。各スロットはＱ個のシンボル期間を含むことができる。但し、Ｑは拡張周期的プレフィックスに対して６に等しく又は通常の周期的プレフィックスに対して７に等しくてもよい。
【００１４】
ＬＴＥは、ダウンリンク上で直交周波数分割多重（ＯＦＤＭ）及びアップリンク上で単一キャリア周波数分割多重（ＳＣ−ＦＤＭ）を利用する。ＯＦＤＭ及びＳＣ−ＦＤＭはシステムバンド幅をトーン、ビン、などと一般にも呼ばれる多数の（ＮＦＦＴ）副搬送波に分割する。各副搬送波は、データによって変調されてもよい。一般に、変調シンボルは、ＯＦＤＭによって周波数領域で、そしてＳＣ−ＦＤＭによって時間領域で送信される。隣接した副搬送波間の間隔は固定されてもよく、副搬送波（ＮＦＦＴ）の総数はシステム帯域幅に依存していてもよい。例えば、ＮＦＦＴは１．２５、２．５、５、１０又は２０ＭＨｚのシステム帯域幅に対して１２８、２５６、５１２、１０２４又は２０４８にそれぞれ等しくてもよい。
【００１５】
図３は、ＬＴＥにおいてダウンリンク又はアップリンクのために使用できる資源構造３００の設計を示す。多数の資源ブロックは、ＮＦＦＴ合計副搬送波によって各スロットに規定されてもよい。各資源ブロックは、１つのスロットのＮＳＣ副搬送波（例えば副搬送波）をカバーすることができる。各スロットの資源ブロックの数は、システム帯域幅に依存していてもよく、６から１１０までの範囲であってもよい。資源ブロックは、また、物理的な資源ブロック（ＰＲＢ）と称してもよい。Ｎｓｂサブバンドも定義されてもよい。但し、Ｎｓｂはシステム帯域幅に依存するかもしれない。
【数１】
0005485296.tif 000002
【００１６】
仮想資源ブロック（ＶＲＢｓ）も資源の割当てを単純化するために定義されてもよい。ＶＲＢは、ＰＲＢと同じディメンションを有し、仮想領域内の１つのスロットにおいてＮＳＣ副搬送波をカバーすることができる。ＶＲＢは、ＶＲＢ対ＰＲＢマッピングに基づいてＰＲＢにマップされてもよい。ＶＲＢｓはＵＥｓに割り当てられてもよく、ＵＥｓのための送信信号は割当られたＶＲＢｓがマップされるＰＲＢに転送されてもよい。
【００１７】
ＬＴＥにおいて、ＵＥは物理的アップリンク共有通信路（ＰＵＳＣＨ）に対して一つ以上のＶＲＢｓを割り当てられてもよい。ＵＥは、データだけ又はデータと制御情報の両方をＰＵＳＣＨに転送してもよい。ＵＥは、タイプ２ＰＵＳＣＨホッピングのために構成されてもよく、異なるスロット又はサブフレーム内の異なるＰＲＢに割当てＶＲＢをマップしてもよい。タイプ２ＰＵＳＣＨホッピングはホッピング関数及びミラーリング関数を含む一組の式によって特定される。
【数２】
0005485296.tif 000003
【００１８】
ホッピング関数及びミラーリング関数は、次のように表すことができる：
【数３】
0005485296.tif 000004
【００１９】
式（１）に示されるホッピング関数について、１つのサブバンドだけがあるときにサブバンドホッピングが実行されなく、２つのサブバンドがあるときに、ホッピングは２つのサブバンドの間で交互に起こり、２つ以上のサブバンドがあるときに、ホッピングは疑似ランダム方法で異なるサブバンドにホッピングする。ＰＮシーケンスｃ（ｋ）は、‘０’又は‘１’のいずれかの１ビットの値を所定のインデックスｋに提供する。式（１）の和の項は、９ビット疑似ランダム値をＰＮシーケンスの９つの連続的なビットにより形成する。
【００２０】
サブフレーム間ホッピングは、サブフレームからサブフレームまでホッピングすること、所定のサブフレームの２つのスロットの同じＰＲＢを使用することを参照する。サブフレーム内及び間ホッピングは、サブフレームからサブフレームへのホッピング及び所定のフレームの２つのスロット内でのホッピングを参照する。ミラーリング示す‘０’が使用されなく、ミラーリングを示す‘１’が使用されるとすると、ミラーリング関数は‘０’又は‘１’のいずれの値を有する。式（２）に示されるミラーリング関数について、ミラーリングは（ｉ）１つのサブバンドだけ存在するときにサブフレーム内及び間ホッピングに他のスロット毎に使用され、（ｉｉ）１つのサブバンドだけが存在するときにサブフレーム間ホッピングためＣＵＲＲＥＮＴ＿ＴＸ＿ＮＢに依存し、（ｉｉｉ）１つ以上のサブバンドが存在するときＰＮシーケンスに依存する。
【００２１】
スロットｎｓで送信信号に使用するＰＲＢ（ｓ）は、次のように決定することができる：
【数４】
0005485296.tif 000005
【数５】
0005485296.tif 000006
【００２２】
タイプ２つのＰＵＳＣＨホッピングのために、所定のセルの全てのＶＲＢｓは、同期してホッピングする。これは、資源断片化及びセルにおける衝突を最小化するために動的にＰＵＳＣＨをスケジュールするため物理的ダウンリンク制御チャネル（ＰＤＣＣＨｓ）を使用する必要性を最小化することができる。
【数６】
0005485296.tif 000007
【００２３】
ホッピング関数fhop(i)及びミラーリング関数fm(i)のためのインデックスｉは、サブフレーム内及び間ホッピングのためのスロット又はサブフレーム間ホッピングのためのサブフレームのいずれかに対応してもよい。ホッピング及びミラーリング関数の周期性は、１０ｍｓの周期性を有するＰＮシーケンスｃ（ｋ）の使用のために、１０ｍｓの１つの無線フレームで固定される。故に、インデックスｉは、サブフレーム間ホッピングに対して０から９まで及びサブフレーム内及び間ホッピングに対して０から１９までの範囲となる。
【００２４】
ＬＴＥは、ハイブリッド自動転送（ＨＡＲＱ）によってデータ伝送をサポートする。アップリンクでのＨＡＲＱに対しては、ＵＥは輸送ブロックの送信信号を送ることができ、輸送ブロックがｅＮＢによって正しく復号化される、又は、最大数の送信信号が送られる、若しくは、他のなんらかの終了条件に直面するまで、必要に応じて、輸送ブロックの一つ以上の追加的な送信信号を送ることができる。輸送ブロックの各送信信号は、ＨＡＲＱ送信信号と呼ばれることもある。ＨＡＲＱ往復時間（ＲＴＴ）は、所定の輸送ブロックの２つの連続的なＨＡＲＱ送信信号間の時間間隔を参照し、８ｍｓ、１０ｍｓ、などあってもよい。ＬＴＥも、周波数分割二重（ＦＤＤ）及び時間分割二重（ＴＤＤ）をサポートする。ＨＡＲＱの動作は、ＦＤＤ及びＴＤＤによって異なってもよい。
【００２５】
１０ｍｓのＨＡＲＱ  ＲＴＴの間は、１つ以上のサブバンド（Ｎｓ＞１）があるときに、式（１）のホッピング関数及び式（２）のミラーリング関数は同じ輸送ブロックのＨＡＲＱ送信信号のためにホッピングをしない。８ｍｓのＨＡＲＱ  ＲＴＴの間は、連続的なサブフレームにおける２つのサブバンド間で交替する性質による２つのサブバンド（Ｎｓｂ＝２）が存在するときに式（１）のホッピング関数は同じ輸送ブロックのＨＡＲＱ送信信号に対してホッピングをしない。１０ｍｓのＨＡＲＱ  ＲＴＴを有し、また、８ｍｓのＨＡＲＱ  ＲＴＴ及び２つのサブバンドを有するホッピング関数による非ホッピングに起因して性能は低下するかもしれない。
【００２６】
一態様において、周波数ホッピングはホッピング関数のためのセルＩＤ及びシステム時間情報の両方を使用することにより全ての動作シナリオに対して確実にすることができる。システム時間情報は、ＨＡＲＱ  ＲＴＴより長くなるホッピング関数の周期性を効果的に延長することができる。その後、これは、所定の輸送ブロックの異なるＨＡＲＱ送信信号のために異なるサブバンドが選択されることを可能にすることができる。
【００２７】
１つの設計において、システム時間情報は、無線フレームのＳＦＮを含めることができる。無線フレームが０から１０２３まで番号がつけられ、それから０まで包み込むようにＬＴＥは１０ビットＳＦＮを使用する。一般に、任意の期間の周期性は、システム時間情報のために適切な時間−領域パラメータを用いてホッピング関数のために取得されてもよい。１つの設計において、ホッピング関数の周期性は他のシステム情報だけでなくＳＦＮを搬送する物理的放送チャネル（ＰＢＣＨ）の周期性に整合するように設定されてもよい。ＰＢＣＨは、４０ｍｓ又は４つの無線フレームの周期性を有する。ＳＦＮの２つの最下位ビット（ＬＳＢ）が、ＬＴＥでタイプ２ＰＵＳＣＨホッピングのためのホッピング関数のために４０ｍｓの周期性を得るために時間−領域パラメータとして使用されてもよい。
【００２８】
第１の周波数ホッピング設計において、ＰＮ発生器はセルＩＤ及びＳＦＮの両方によって初期化されてもよく、ホッピング関数はＰＮ発生器からのＰＮシーケンスを利用してもよい。ＬＴＥのＰＮシーケンスｃ（ｋ）は次のように表すことができる：
【数７】
0005485296.tif 000008
【００２９】
式（６）に示すように、ＰＮシーケンスｃ（ｋ）は、２つの長さ−３１のｍ−シーケンスｘ１（ｋ）及びｘ２（ｋ）に基づいて生成される。ｘ１（ｋ）シーケンスは０００．．０００１の３１ビットの値によって初期化されてもよく、ｘ２（ｋ）シーケンスは各無線フレームのｃｉｎｉｔの３１ビットの値によって初期化されてもよい。ｃｉｎｉｔは、異なる無線フレームのｘ２（ｋ）シーケンスのための異なる初期値を得るために種々の方法でセルＩＤ及びＳＦＮに基づいて定義されてもよい。
【００３０】
図４Ａは、セルＩＤ及びＳＦＮに基づいてｃｉｎｉｔを定義する１つの設計を示す。この設計では、ＳＦＮのＭ  ＬＳＢはｃｉｎｉｔのＭ  ＬＳＢを形成し、Ｌ−ビットセルＩＤはｃｉｎｉｔの次のＬ個の上位ビットを形成し、ｃｉｎｉｔの残りのビットはゼロによって満たされる。但し、一般的にＬ≧１及びＭ≧１である。Ｌ＝９及びＭ＝２の場合には、ｃｉｎｉｔは次のように表すことができる：
【数８】
0005485296.tif 000009
【００３１】
式（９）は、ホッピング関数のための４つの無線フレームの周期性を得るために使用されてもよい。Ｋ個の無線フレーム（但し、Ｋが任意の適切な値でもあってもよい）の周期性は、次のように得られる：
【数９】
0005485296.tif 000010
【００３２】
図４Ｂは、セルＩＤ及びＳＦＮに基づいてｃｉｎｉｔを定義する他の設計を示す。この設計において、Ｌ−ビットセルＩＤはｃｉｎｉｔのＬ  ＬＳＢを形成し、ＳＦＮのＭ  ＬＳＢは、ｃｉｎｉｔの次のＭ個の上位ビットを形成し、ｃｉｎｉｔの残りのビットはゼロで満たされる。但し、一般的にＬ≧１及びＭ≧１である。Ｌ＝９及びＭ＝２の場合には、ｃｉｎｉｔは次のように表すことができる：
【数１０】
0005485296.tif 000011
【００３３】
Ｋこの無線フレームの周期性は、次のように得ることができる：
【数１１】
0005485296.tif 000012
【００３４】
図４Ａ及び４Ｂ並びに式（９）〜（１２）に示されるように、ｃｉｎｉｔは、例えば、セルＩＤに式（９）の４の因子を乗算することによって全体のセルＩＤに基づいて定義されてもよい。これは、異なるセルＩＤによって割り当てられる隣接セルが周波数ホッピングのため異なるＰＮシーケンスを使用するであろうことを確実にすることができる。
【００３５】
図５は、方程式（９）又は（１１）に示される設計に基づいて、異なる無線フレームでＰＮシーケンスｃ（ｋ）を生成することを示す。無線フレームｔはｔのＳＦＮを有する無線フレームである。但し、ｔは１０ビットＳＦＮに対して０〜１０２３の範囲内にある。無線フレーム０に対しては、ｃｉｎｉｔは（ＳＦＮ  ｍｏｄ  ４）のために０によって得られ、このｃｉｎｉｔによって生成されるＰＮシーケンスセグメントは、ｃ０（ｋ）として示されてもよく、無線フレーム０において使用されてもよい。無線フレーム１に対しては、ｃｉｎｉｔは(ＳＦＮ  ｍｏｄ  ４）のために１によって得られ、このｃｉｎｉｔによって生成されるＰＮシーケンスセグメントは、c1(k)として示されてもよく、無線フレーム１において使用されてもよい。無線フレーム２に対しては、ｃｉｎｉｔは（ＳＦＮ  ｍｏｄ  ４）のために２によって得られ、このｃｉｎｉｔによって生成されるＰＮシーケンスセグメントは、ｃ２（ｋ）として示されてもよく、無線フレーム２において使用されてもよい。無線フレーム３に対しては、ｃｉｎｉｔは（ＳＦＮ  ｍｏｄ  ４）のために３によって得られ、このｃｉｎｉｔによって生成されるＰＮシーケンスセグメントは、ｃ３（ｋ）として示されてもよく、無線フレーム３において使用されてもよい。無線フレーム４に対しては、ｃｉｎｉｔが（ＳＦＮ  ｍｏｄ  ４）のために０によって得られ、ＰＮシーケンスセグメントｃ０（ｋ）が、無線フレーム４において使用される。４つの異なるＰＮシーケンスセグメントｃ０（ｋ），ｃ１（ｋ），ｃ２（ｋ）及びｃ３（ｋ）は、ｃｉｎｉｔの４つの異なる値によって生成することができ、図５に示すように、４つの連続的な無線フレームの各グループに使用できる。これらの４つのＰＮシーケンスセグメントは、式（６）によって定義されるＰＮシーケンスｃ（ｋ）の異なる部分に対応する。
【００３６】
１つの設計において、ホッピング関数は次のように定義することができる：
【数１２】
0005485296.tif 000013
【００３７】
式（１３）において、上記の通りに、ＰＮシーケンスｃ（ｋ）は、セルＩＤ及びＳＦＮに基づいて生成することができる。式（１３）のホッピング関数は、異なる無線フレームにおいて異なるＰＮシーケンスセグメントｃ０（ｋ）〜ｃ３（ｋ）を用いて、１０ｍｓのＨＡＲＱ  ＲＴＴの間ホッピングする。ホッピング関数は、また、連続的なサブフレームの２つのサブバンドの間を交替する代わりに、サブバンドを選択するためＰＮシーケンスを用いて８ｍｓのＨＡＲＱ  ＲＴＴ及び２つのサブバンド間ホッピングする。
【００３８】
他の設計において、式（１３）の第２項は２つのサブバンドの場合に使用することができ、式（１）の第３項は２つ以上のサブバンドに場合に使用することができる。ホッピング関数は、また、ＰＮシーケンスｃ（ｋ）によって他の方法で定義されてもよい。
【００３９】
式（２）のミラーリング関数は、セルＩＤ及びＳＦＮに基づいて生成されるＰＮシーケンスｃ（ｋ）によって使用されてもよい。この場合、ミラーリング関数は１つ以上の無線フレームにわたり周期的であり、１０ｍｓのＨＡＲＱ  ＲＴＴの間ホッピングする。
【００４０】
図６は、第１の周波数ホッピング設計に基づいて送信に使用するＰＲＢを決定するモジュール６００の設計を示している。装置６１２は、無線フレームに対するセルＩＤ及びＳＦＮを受信することができ、例えば、式（９）、（１０）、（１１）又は（１２）に示すように初期値ｃｉｎｉｔを無線フレームに提供することができる。ＰＮ発生器６１４は、各無線フレームの初期値によって初期化することができ、例えば、式（６）に示すように無線フレームに対してＰＮシーケンスセグメントを生成することができる。装置６１６は、各無線フレーム及び他のパラメータに対するＰＮシーケンスセグメントを受信することができ、例えば、式（１３）に示すようにホッピング関数に基づいて送信に使用する特定のサブバンドを決定することができる。装置６１８は、また、各無線フレーム及び他のパラメータに対してＰＮシーケンスセグメントを受信することもでき、例えば、式（２）に示すようにミラーリング関数に基づいてミラーリングを使用するべきか否かを決定することができる。装置６２０は、装置６１６からのサブバンド、装置６１８からミラーリングを使用するべきか否かの指示及び他のパラメータを受信することができる。例えば、装置６２０は式（３）〜（５）に示すように、入力の全てに基づいて送信に使用するＰＲＢ（ｓ）を決定することができる。
【００４１】
第１の周波数ホッピング設計については、ＰＮシーケンスｃ（ｋ）の異なるセグメントは、ｃｉｎｉｔの異なる値を有する異なる無線フレームにおいて発生することができる。これらの異なるＰＮシーケンスセグメントは、より長い周期性を得るためにホッピング関数及びミラーリング関数において使用することができる。無線フレーム毎のＰＮシーケンスセグメントは、無線フレームの開始時に空中で生成することができる。或いは、ＰＮシーケンスセグメントは予め計算されてもよく、ルックアップテーブルに記憶されてもよく、必要に応じてアクセスされてもよい。
【００４２】
第２の周波数ホッピング設計において、ＰＮ発生器はセルＩＤだけによって初期化することができ、ホッピング関数及びミラーリング関数はＳＦＮによって決定されるオフセットだけでなくＰＮ発生器からのＰＮシーケンスを利用することができる。
【数１３】
0005485296.tif 000014
【００４３】
式（１４）の設計は、第２項の総和項に対する重畳ＰＮビットを使用する。特に、１０個のＰＮビットｃ（ｋ）〜ｃ（ｋ＋９）は、無線フレーム０のための総計に使用されてもよく、１０個のＰＮビットｃ（ｋ＋１）〜ｃ（ｋ＋１０）は、無線フレーム１のための総計に使用されてもよく、１０個のＰＮビットｃ（ｋ＋２）〜ｃ（ｋ＋１１）は、無線フレーム２のための総計に使用されてもよい、などである。総計の重畳ＰＮビットを避けるために、ホッピング関数は次のように定義することができる：
【数１４】
0005485296.tif 000015
【００４４】
Ｋ＝４なら、式（１６）は次のように表すことができる：
【数１５】
0005485296.tif 000016
【００４５】
ホッピング関数及びミラーリング関数は、また、ＰＮシーケンスｃ（ｋ）のオフセットを使用して他の方法で定義することもできる。オフセットの使用によって、ＰＮシーケンスが全ての無線フレームに対して一度生成することができる。
【００４６】
図７は、式（１４）、（１６）又は（１７）に示される設計に基づいて、異なる無線フレームでＰＮシーケンスｃ（ｋ）に対して異なるオフセットの使用を示す。同じＰＮシーケンスｃ（ｋ）が、各無線フレームにおいて使用することができる。ｏｆｆｓｅｔ０のオフセットが無線フレーム０のＰＮシーケンスに使用することができ、ｏｆｆｓｅｔ１のオフセットが無線フレーム１のＰＮシーケンスに使用することができ、ｏｆｆｓｅｔ２のオフセットが無線フレーム２のＰＮシーケンスに使用することができ、ｏｆｆｓｅｔ３のオフセットが無線フレーム３のＰＮシーケンスに使用することができ、ｏｆｆｓｅｔ０のオフセットが無線フレーム４のＰＮシーケンスに使用できるなどである。ホッピング及びミラーリング関数の周期性は、異なる無線フレームの異なるオフセットを用いて延長することができる。
【００４７】
一般に、システム時間情報（例えばＳＦＮ）は、異なるＰＮシーケンスセグメントを生成するＰＮ発生器の初期化のオフセットとして又は同じＰＮシーケンスのためのオフセットとしてのいずれか使用されてもよい。いずれかの場合に、（ｉ）隣接セルが同じＰＮシーケンスと衝突しないように、及び／又は（ｉｉ）隣接サブフレーム又はスロットは同じＰＮシーケンスの同じ部分と衝突しないように選択することができる。システム時間情報は、また、ミラーリング及びミラーリング関数の周期性を延長するために他の方法で使用することができる。
【００４８】
上述した第１及び第２の周波数ホッピング設計は、以下の利点を有することができる：
・ホッピング及びミラーリング関数の周期性は、０、１、２及び３のＳＦＮ従属オフセットを用いて、例えば、４０ｍｓまで延長することができる。
【００４９】
・所定のセルの全てのＶＲＢｓは同期してホッピングする。
【００５０】
・ＵＥｓはｅＮＢからＳＦＮを取得するために必要とするので、ｅＮＢ及びＵＥｓはホッピング及びミラーリング関数のため同期しているようである。
【００５１】
・ホッピングは、８ｍｓ及び１０ｍｓのＨＡＲＱ  ＲＴＴの間、及びＦＤＤ及びＴＤＤの間に確実にされる。
【００５２】
・新規なホッピング及びミラーリング関数は式（１）及び（２）においてオリジナルホッピング及びミラーリング関数のように実施するのに単純であるはずである。
【００５３】
・ＬＴＥ仕様への影響は、最小にできる。
【００５４】
ＵＥは、一般にサービスセルのＳＦＮについての知識を有し、それから、上記の通りに、タイプ２ＰＵＳＣＨホッピングを実行することができる。ＵＥは、例えば、新規セルに対するハンドオーバによって、アップリンクタイミングと同期していない後にセルを再アクセスすることによって、あるシナリオでＳＦＮの知識を持たないかもしれない。これらのシナリオの各々において、ＵＥはセルにアクセスするためにランダムアクセス手順を実行することができる。ランダムアクセス手順に関して、ＵＥはランダムアクセスチャネル（ＲＡＣＨ）上にランダムアクセスプレアンブル（又はメッセージ１）を送ることができ、セルからＲＡＲ許可によってランダムアクセス応答（ＲＡＲ）（又はメッセージ２）を受信することができ、ＲＡＲ許可に従ってＰＵＳＣＨに予定された送信信号（又はメッセージ３）を送ることができる。ＵＥは、ＰＢＣＨを首尾よく復号化しないかもしれなく、ＰＵＳＣＨ上にメッセージ３の送信に間に合ってＳＦＮを得ることができない。ＳＦＮが１０ｍｓごとに送信された時から、この種のイベントの確率は非常に低くなるかもしれない。さらに、ＵＥがＲＡＣＨ手順の後にＳＦＮを取得し、次のＰＵＳＣＨ送信信号のためのタイプ２ＰＵＳＣＨホッピングを実行することができると仮定することが無難であるかもしれない。
【００５５】
一時的に（例えば、ハンドオーバ及び再同期のための）ランダムアクセス手順の間、ＵＥに一時的に利用できないＳＦＮの潜在的問題は、種々の方法で対処することができる。もう一つのＩと呼ぶことができる１つの設計において、ＰＵＳＣＨのメッセージ３及び送信信号はＳＦＮがＵＥによって取得されるまで遅延することができる。メッセージ２がセルから受信されてとしてもＵＥでの中間アクセスコントロール（ＭＡＣ）は失敗するようなランダムアクセス計画を考慮すべきかもしれない。ＵＥは、その後、再試行手順を処理できる（例えば、メッセージ２によって再試行する又はランダムアクセス手順を繰り返す）ことができる。これは、ランダムアクセス手順を遅延させる。しかし、これが低い確率イベントであった時から、全体的なパフォーマンスはごくわずかに衝撃を与えられることになるかもしれない。さらに、この動作は、ＵＥが使用可能なタイプ２ＰＵＳＣＨホッピングでＲＡＲ許可（又はダウンリンク制御情報（ＤＣＩ）フォーマット０を介した許可）を受信する場合に限ることができる。ＵＥの観点から、ＵＥが使用可能なタイプ２ＰＵＳＣＨホッピングでＲＡＲ許可（又はＤＣＩフォーマット０を介した許可）を受信すれば、ＵＥはそれを無効なアップリンク割り当てとして処理でき、タイプ２ＰＵＳＣＨホッピングでＰＵＳＣＨを送信することができない。ｅＮＢは、このケースのためにはタイプ２ＰＵＳＣＨホッピングを使用するか否かを決めることができる。
【００５６】
代替ＩＩと呼ぶことができる他の設計では、以前でなければ、ＳＦＮはランダムアクセス手順の後にＵＥによって得られるとみなすことができる。その時には、以下のオプションの一つ以上が使用することができる：
・オプション１：ＬＴＥ標準において何も特定しない。ｅＮＢ実施はメッセージ３のためのＤＣＩフォーマット０においてタイプ２ＰＵＳＣＨホッピングを可能又は不可能にするかもしれない。
【００５７】
・オプション２：メッセージ３送信信号について、ＤＣＩフォーマット０の対応する（１つ又は複数の）ビットが予約できる場合に不可能タイプ２ＰＵＳＣＨホッピング。これは、最小標準変化を必要とし、このまれに見るエラーイベントを取り扱う必要性を排除する。
【００５８】
・オプション３：メッセージ３送信信号については、ＳＦＮ＝０と仮定する。ＳＦＮ＝０のとき、ホッピングは１０ｍｓＨＡＲＱ  ＲＴＴの間事実上使用不能となるとき、上述した設計を使用して可能にすることができる。
【００５９】
・オプション４：ＵＥは、それがメッセージ２を受信するとＳＦＮ＝０を設定することができ、その後で、成功したメッセージ３の送信の後まで１０ミリ秒毎に１つだけＳＦＮをインクリメントすることができる。この場合のタイプ２ＰＵＳＣＨホッピングはセル特定の変わりにＵＥ特定とすることができ、メッセージ３のためのＰＵＳＣＨホッピングが他のＰＵＳＣＨ送信信号と同期してはならない。
【００６０】
・オプション５：ＳＦＮがタイプ２ＰＵＳＣＨホッピングのためにリセットされるべきか否かを示すＤＣＩフォーマット０の１つのビットを導入する。例えば、ビットが０に設定されれば、そのとき、ＵＥは上記した関数において、利用できるならば、現在のＳＦＮを使用することができる。そうでなければ、ＵＥはＳＦＮ＝０と仮定することできる。
【００６１】
・オプション６：閾値依存ＳＦＮリセットを導入する。例えば、割り当てサイズが特定の閾値より大きければ、そのとき、ＳＦＮは０にリセットすることができる。誤ったＰＵＳＣＨ送信信号によるアップリンク干渉への影響は、このオプションによって制限することができる。
【００６２】
上記したオプションについて、メッセージ３の取扱いは、次のように２つの可能性として分類することができる：
・Ｍ１：潜在的ＳＦＮ混乱、例えばハンドオーバ、再同期を受けるメッセージだけ、
・Ｍ２：ＳＦＮ混乱の有無に関係なく全てのメッセージ。
【００６３】
タイプ２ＰＵＳＣＨホッピングは、また、２つの可能性として分類することができる：
・Ｈ１：全ては、Ｎｓｂ２≧２によっての全てのタイプ２ＰＵＳＣＨホッピング、
・Ｈ２：Ｎｓｂに関する全てのタイプ２ＰＵＳＣＨホッピング。
【００６４】
即ち、Ｎｓｂ＝１のためにさえ、上記した設計が適用することができる。
【００６５】
変形例ＩＩ、オプション２が以下のシナリオにおいて適用できるように解釈することができる：
・Ｍ１＋Ｈ１：潜在的ＳＦＮ混乱を受けるメッセージ３のためのＮｓｂ２によって使用不能タイプ２ＰＵＳＣＨホッピング、
・Ｍ２＋Ｈ１：ＳＦＮ混乱有無に関係なくメッセージ３のためのＮｓｂ２によって使用不能タイプ２ＰＵＳＣＨホッピング、
・Ｍ１＋Ｈ２：潜在的ＳＦＮ混乱を受けるメッセージ３のための、Ｎｓｂに関係なく、使用不能タイプ２ＰＵＳＣＨホッピング、
・Ｍ２＋Ｈ２：ＳＦＮ混乱の有無に関係なく、メッセージ３のための、Ｎｓｂに関する、使用不可能タイプ２ＰＵＳＣＨホッピング。
【００６６】
変形例ＩＩは、オプション３は以下のシナリオに適用できるように解釈することができる：
・Ｍ１＋Ｈ１、Ｍ２＋Ｈ１、Ｍ１＋Ｈ２及びＭ２＋Ｈ２．
同様の概念は、上記した他のオプションに当てはまる。ＳＦＮ混乱がＰＵＳＣＨ送信信号に存在すれば（例えば、ＵＥはハンドオーバによってランダムアクセス手順の後にＳＦＮを取得しなかったら）、そのとき、同じオプションは適用可能となるかもしれない。
【００６７】
タイプ２ＰＵＳＣＨホッピングの変形例はＣＵＲＲＥＮＴ＿ＴＸ＿ＮＢを利用することである。これは所定の輸送ブロックのためのＨＡＲＱ送信信号の総数を示す。タイプ２ＰＵＳＣＨホッピングのためのこの属性を絶えず用いて２つの不利な点がある。第一に、ｅＮＢ及びＵＥは、ＣＵＲＲＥＮＴ＿ＴＸ＿ＮＢに関して同期していなくてもよい。このように、ＵＥはＰＵＳＣＨ送信信号に対する幾つかの誤ったＰＲＢを使用するかもしれず、他のＰＵＳＣＨ送信信号に干渉するかもしれない。第２に、ＣＵＲＲＥＮＴ＿ＴＸ＿ＮＢがＵＥ特定パラメータであるので、セルのタイプ２ＰＵＳＣＨホッピングはＵＥ特定となるかもしれない。このＵＥ特定パラメータは、資源断片化を減らすためにｅＮＢに動的スケジューリングを使用させることができる。上記したオプション５及び／又はオプション６は、潜在的非同期問題を解決するために用いることができる。
【００６８】
他の設計において、デフォルトモードは、メッセージ３送信信号のためのタイプ２ＰＵＳＣＨホッピングを使用不能にする代わりに定義されてもよい。１つのデフォルトモードはＳＦＮに依存しないので、それはＮｓｂ＝１を設定することができる。特に、ＵＥがタイプ２ＰＵＳＣＨホッピングによってメッセージ３送信信号に対するアップリンク割当てを受信するときに、ＵＥはセルの実際のＮｓｂ構成に関係なくそれをＮｓｂ＝１として扱うことができる。これは上記にリスト化したオプションのうちの１つに対して提案したようにＮｓｂ＝２のためのＳＦＮ＝０動作のデフォルトモードと同様であってもよい。デフォルトモードのメッセージ３送信信号は上記リストのＭ１又はＭ２可能性のいずれかを意味することができる。
【００６９】
図８は、ワイヤレス通信ネットワークにおいて周波数ホッピングと通信する処理８００の設計を示す。プロセス８００は、ＵＥ、基地局／ｅＮＢ又は他のエンティティによって実行されてもよい。セルのセルＩＤが決定されてもよい（ブロック８１２）。セルのためのシステム時間情報が取得されてもよい（ブロック８１４）。１つの設計において、システム時間情報は、無線フレームのＳＦＮにより構成することができる。システム時間情報は、また、セルのためのシステム時間に関連した他の情報を含んでもよい。周波数ホッピングによって送信に使用する資源は、セルＩＤ及びシステム時間情報に基づいて決定することができる（ブロック８１６）。図８に示される１つの設計において、ＵＥは処理８００を実行してもよく、資源の送信信号をセルに送信することができる（ブロック８１８）。図８に示されていない他の設計において、基地局は処理８００を実行してもよく、セルにＵＥによって資源上に送られる送信信号を受けることができる。
【００７０】
ブロック８１６の１つの設計において、ＰＮ発生器は、セルＩＤ及びシステム時間情報に基づいて初期化されてもよい。ＰＮシーケンスは、ＰＮ発生器によって生成されてもよい。その後、送信信号に使用する資源は、ＰＮシーケンスに基づいて決定されてもよい。ＰＮ発生器を初期化する１つの設計において、各無線フレームのＰＮ発生器のための初期値（例えばｃｉｎｉｔ）は、例えば、式（９）、（１０）、（１１）又は（１２）に示すようにその無線フレームのためのセルＩＤ及びＳＦＮに基づいて決定されることができる。初期値はセルＩＤのためのＬビット及びＳＦＮのＭ  ＬＳＢのためのＭビットにより構成できる。但し、Ｌ及びＭはそれぞれ例えば、図４Ａ又は４Ｂで示すように１以上であってもよい。その後、ＰＮ発生器は、かく無線フレームにおいてその無線フレームのための初期値によって初期化されてもよい。他の設計において、ＰＮ発生器は、各無線フレームにおいて、単にセルＩＤに基づいて決定される初期値、例えば、初期値＝セルＩＤによって初期化されてもよい。
【００７１】
ブロック８１６の１つの設計において、ＰＮシーケンスは、セルＩＤ及びＳＦＮに基づいて各無線フレームにおいて発生することができる。送信信号に用いる特定のサブバンドは、例えば、式（１３）に示すようにホッピング関数及びＰＮシーケンスに基づいて決定されてもよい。ミラーリングを使用するか否かは、例えば、式（２）に示すようにミラーリング関数及びＰＮシーケンスに基づいて決定されてもよい。送信信号に使用する資源は、特定のサブバンド及び、例えば、式（３）に示すようにミラーリングを使用する否かに基づいて決定されてもよい。ＰＮシーケンスは、ＳＦＮの少なくとも一つのビット（例えば２つのＬＳＢ）に基づいて、各無線フレームにおいて発生することができる。ＰＮ発生器が各無線フレームにおいて初期化されているとしても、ホッピング関数及びミラーリング関数は少なくとも２つの（例えば４つの）無線フレームの周期性を有することができる。
【００７２】
ブロック８１６の他の設計では、ＰＮシーケンスは、セルＩＤに基づいて各無線フレームにおいて発生することができる。各無線フレームに対するオフセットは、ＳＦＮに基づいて決定されてもよい。例えば、オフセットは（ｎｆ ｍｏｄ  Ｋ）、１０（ｎｆ  ｍｏｄ  Ｋ）、などであってもよい。送信信号に使用するサブバンドは、例えば、式（１４）、（１５）、（１６）又は（１７）に示すようにホッピング関数、ＰＮシーケンス及びオフセットに基づいて決定されてもよい。ミラーリングを使用するか否かは、また、例えば、式（１５）に示すようにミラーリング関数、ＰＮシーケンス及びオフセットに基づいて決定されてもよい。送信信号に使用する資源は、特定のサブバンド及びミラーリングを使用するか否かに基づいて決定されてもよい。
【００７３】
ＵＥは、処理８００を実行し、セルによって送られる放送チャネルからのシステム時間情報を取得してもよい。システム時間情報が利用できない場合、又はランダムアクセス手順の間、及び／又は他のシナリオの下では、ＵＥは周波数ホッピング用いた送信を避けてもよい。ＵＥは周波数ホッピングによって割り当てを受けてもよく、システム時間情報が利用できない場合に無効として割り当てを処理してもよい。ＵＥはまた、システム時間情報のためのデフォルト値又はシステム時間情報が利用できない場合ホッピング関数のためのデフォルト数のサブバンドを使用することができる。
【００７４】
ＬＴＥのための１つの設計において、ＵＥはセルから少なくとも一つのＶＲＢの割当てを得ることができる。ＵＥは、ホッピング関数及び、セルＩＤ及びシステム時間情報に基づいて発生するＰＮシーケンスに基づいて少なくとも一つのＶＲＢを少なくとも一つのＰＲＢをマッピングしてもよい。ＵＥは、ＰＵＳＣＨのための少なくとも一つのＰＲＢの送信信号をセルに送ることができる。ＵＥは、また、他の無線ネットワークに対して他の方法で送信信号を送ることができる。
【００７５】
図９は、ワイヤレス通信ネットワークの周波数ホッピングで通信する装置９００の設計を示す。装置９００は、セスのセルＩＤを決定するためにモジュール９１２、セルのためのシステム時間情報を得るモジュール９１４及びセルＩＤ及びシステム時間情報に基づいて周波数ホッピングによって送信信号に使用する資源を決定するモジュール９１６を含む。図９に示される１つの設計では、装置はＵＥ用であってもよく、ＵＥから資源の送信信号をセルに送るモジュール９１８を更に含んでもよい。図９に示されない他の設計において、装置は基地局／ｅＮＢのためのものであってもよく、ＵＥによってセルに資源に送られた送信信号を受信するモジュールを更に含んでもよい。
【００７６】
図９のモジュールは、プロセッサ、電子装置、ハードウェア装置、電子構成要素、論理回路、メモリ、ソフトウェアコード、ファームウェアコード、など、又は、それのいかなる組合せを含んでもよい。
【００７７】
図１０はｅＮＢ／基地局１１０及びＵＥ  １２０の設計のブロック図を示す。それは図１のｅＮＢｓの１つ及びＵＥｓの１つであってもよい。ｅＮＢ１１０はＴ個のアンテナ１０３４ａ〜１０３４ｔを備えてもよく、ＵＥ１２０は、Ｒ個のアンテナ１０５２ａ〜１０５２ｒを備えてもよい。一般にＴ≧１及びＲ≧１である。
【００７８】
ｅＮＢ１１０で、送信プロセッサ１０２０は、データソース１０１２から一つ以上のＵＥｓのためのデータを受信することができ、一つ以上の変調及びＵＥのための符号化方式に基づいて各ＵＥのためのデータを処理（例えば、コード化、インタリーブ、及び変調）し、全てのＵＥｓにデータシンボルを提供することができる。送信プロセッサ１０２０は、また、コントローラ／プロセッサ１０４０からの制御情報（例えばセルＩＤ、ＳＦＮ、割当て、など）を処理することができ、制御シンボルを提供することができる。送信（ＴＸ）多入力多出力（ＭＩＭＯ）プロセッサ１０３０は、データシンボル、制御シンボル及び／又はパイロットシンボルを多重化することができる。ＴＸ  ＭＩＭＯプロセッサ１０３０が、妥当な場合、多重化シンボルに空間処理（例えば、プレコーディング）を行うことができ、Ｔ個のモジュレータ（ＭＯＤ）１０３２ａ〜１０３２ｔにＴ個の出力シンボルストリームを提供することができる。各モジュレータ１０３２は、出力サンプルストリームを得るために（例えば、ＯＦＤＭのための）個別の出力シンボルストリームを処理することができる。各モジュレータ１０３２は、ダウンリンク信号を得るために出力サンプルストリームを更に処理する（例えば、アナログに変換する、増幅する、フィルタをかける、アップコンバートする）ことができる。モジュレータ１０３２ａ〜１０３２ｔからのＴ個のダウンリンク信号は、Ｔ個のアンテナ１０３４ａ〜１０３４ｔをそれぞれ介して送信することができる。
【００７９】
ＵＥ１２０にて、アンテナ１０５２ａ〜１０５２ｒは、ｅＮＢ１１０からダウンリンク信号を受信し、受信信号１０５４ａ〜１０５４ｒを復調器（ＤＥＭＯＤｓ）にそれぞれ提供することができる。各復調器１０５４は、受信サンプルを得るために個別の受信信号を調整する（例えば、フィルタをかける、増幅する、ダウンコンバートする、及びデジタル化する）ことができる。各復調器１０５４は、（例えば、ＯＦＤＭのための）受信シンボルを得るために受信サンプルを更に処理することができる。ＭＩＭＯ検出器１０５６は全てのＲ個の復調器１０５４ａ〜１０５４ｒから受信シンボルを取得し、妥当な場合に受信シンボルにＭＩＭＯ検出を行い、検出シンボルを提供することができる。受信プロセッサ１０５８は検出シンボルを処理し（例えば、復調し、デインターリーブし、復号化し）、復号制御情報（例えば、セルＩＤ、ＳＦＮ、割当て、など）をコントローラ／プロセッサ１０８０に提供し、ＵＥ１２０のための復号データをデータシンク１０６０に提供することができる。
【００８０】
アップリンクで、ＵＥ１２０にて、データソース１０６２からのデータ及びコントローラ／プロセッサ１０８０からの制御情報は上述のように周波数ホッピングを実行することができる送信プロセッサ１０６４によって処理することができる。送信プロセッサ１０６４からのシンボルは、妥当ならＴＸ  ＭＩＭＯプロセッサ１０６６によってプレコードされ、モジュレータ１０５４ａ〜１０５４ｒによって調整され、ｅＮＢ１１０に送信されてもよい。ｅＮＢ１１０で、ＵＥ１２０からのアップリンク信号は、ＵＥ１２０によって送信されるデータ及び制御情報を得るためにアンテナ１０３４によって受信され、復調器１０３２によって調整され、妥当ならＭＩＭＯ検出器１０３６によって処理され、更に受信プロセッサ１０３８によって処理されてもよい。
【００８１】
コントローラ／プロセッサ１０４０及び１０８０はｅＮＢ１１０及びＵＥ１２０での動作をそれぞれ管理することができる。プロセッサ１０６４、プロセッサ１０８０及び／又はＵＥ１２０での他のプロセッサ及びモジュールは、アップリンク上で周波数ホッピングによってデータ送信のために図６のモジュール６００を実施し及び／又は図８の方法８００を実行することができる。プロセッサ１０３８、プロセッサ１０４０及び／又はｅＮＢ１１０での他のプロセッサ及びモジュールはアップリンク上で周波数ホッピングによってデータ受信のために図６のモジュール６００を実施し及び／又は図８の方法８００を実行することができる。ダウンリンク上で周波数ホッピングによってのデータ送信及びデータ受信は、アップリンク上で周波数ホッピングによってのデータ送信及びデータ受信と同様な方法又は異なる方法で行われてもよい。メモリ１０４２及び１０８２ｅはＮＢ１１０及びＵＥ１２０のためのデータ及びプログラムコードをに格納することができる。スケジューラ１０４４は、ダウンリンク及び／又はアップリンク送信のためのＵＥｓをスケジュールし、スケジュールされたＵＥｓに対して資源（例えばＶＲＢｓ）の割当てを提供することができる。
【００８２】
当業者はその情報を理解し、信号は様々な異なる技術及び技法のいずれかを使用していることを表すことができる。上記の説明の全体にわたって参照することができる、例えば、データ、インストラクション、コマンド、情報、信号、ビット、シンボル及びチップは、電圧、電流、電磁波、磁場又は分子、光場又は分子若しくはその任意の組み合わせによって表すことができる。
【００８３】
当業者は、更に、本明細書において開示と関連して説明されている種々の具体的論理ブロック、モジュール、回路及びアルゴリズムステップが電子ハードウェア、コンピュータソフトウェア又は両方の組合せとして実行することができることを認識するであろう。ハードウェア及びソフトウェア、種々の具体的構成要素、ブロック、モジュール、回路及びステップのこの互換性を明確に説明するために、それらの機能性に関して一般的に上述した。そのような機能性がハードウェア又はソフトウェアとして実施されるかどうかは特定のアプリケーション及び全体のシステムに課せられた設計制約に依存する。熟練者は特定のアプリケーション毎に変化する方法で説明した機能性を実施することができるが、そのような実施の決定は本解除の範囲から逸脱して解釈されるべきでない。
【００８４】
ここの開示と関連して説明されている種々の具体的論理的ブロック、モジュール及び回路は汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラム可能な論理装置、離散的なゲート又はトランジスタロジック、離散的なハードウェアコンポーネント、又はここに開示された機能を実行するように設計されたそれらの組み合わせによって実施され又は実行されてもよい。汎用プロセッサはマイクロプロセッサであってもよいが、代わりに、プロセッサはいかなる一般的なプロセッサも、コントローラ、マイクロコントローラ又は状態機器であってもよい。プロセッサは、また、コンピュータ機器の組み合わせ、例えばＤＳＰとマイクロプロセッサの組合せ、複数のマイクロプロセッサの組み合わせ、ＤＳＰコアと関連した１つ以上のマイクロプロセッサの組み合わせ、若しくは任意の他のそのような構成として実施されてもよい。
【００８５】
ここの開示と関連して説明されている方法又はアルゴリズムのステップはハードウェアで直接的に、プロセッサによって執行されるソフトウェアモジュールで、又は二つの組み合わせで実施されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ又は公知技術の記憶媒体の他のいかなる形状で存在してもよい。典型的な記憶媒体はプロセッサが記憶媒体から情報を読み込み、情報を書き込むことができるようにプロセッサに接続される。或いは、記憶媒体はプロセッサに必要でもよい。プロセッサ及び記憶媒体は、ＡＳＩＣに存在してもよい。ＡＳＩＣは、ユーザ端末に存在してもよい。或いは、プロセッサ及び記憶媒体は、ユーザ端末に離散的コンポーネントとして存在してもよい。
【００８６】
一つ以上の典型的な設計において、記載されている機能は、ハードウェア、ソフトウェア、ファームウェア又はそのいかなる組合せで実施されてもよい。ソフトウェアで実施される場合、機能は１つ以上のインストラクション又はコードとしてコンピュータ読取り可能媒体に格納されてもよく又は送信されてもよい。コンピュータ可読媒体は、１つの場所から他の場所にコンピュータプログラムの転送を容易にする任意の媒体も含むコンピュータ記憶媒体及び通信媒体を含む。記憶媒体は、また、汎用又は特定目的コンピュータによってアクセスできる任意の利用可能媒体であってもよい。例えば、限定されないが、この種のコンピュータ可読の媒体は、ＲＡＭ、ＲＯＭ、ＥＥＰＲＯＭ、ＣＤ−ＲＯＭ又はその他光学ディスク記憶装置、磁気ディスク記憶装置又は他の磁気記憶装置、若しくはインストラクション又はデータ構造の形態で所望のプログラムコード手段を運び又は記憶するために使用でき、汎用又は特定目的コンピュータ若しくは汎用又は特定目的プロセッサによってアクセスできる任意の他の媒体で構成することができる。また、いかなる接続も、適切にコンピュータ読取り可能媒体と呼ばれる。例えば、ソフトウェアが同軸ケーブル、光ファイバーケーブル、ツイストペア、デジタル加入者回線（ＤＳＬ）又は赤外線、ラジオ及びマイクロ波のような無線技術を使用してウェブサイト、サーバ又は他の遠隔ソースから送信される場合、同軸ケーブル、光ファイバーケーブル、ツイストペア、ＤＳＬ又は赤外線、ラジオ及びマイクロ波のような無線技術は媒体の定義に含まれる。ここに使用されているようなディスク（ｄｉｓｋ）及びディスク（ｄｉｓｃ）はコンパクトディスク（ＣＤ）、レーザーディスク（登録商標）、光ディスク、デジタルバーサタイルディスク（ＤＶＤ）、フロッピー（登録商標）ディスク及びブルーレイディスクを含む。但し、ｄｉｓｋは通常磁気的にデータを再生し、これに対してｄｉｓｃはレーザによって光学的にデータを再生する。上記の組合せは、また、コンピュータ可読の媒体の範囲内で含まれなければならない。
【００８７】
開示の前の記述は、いかなる当業者も開示を製造し又は使用することができるように提供される。開示に対する種々の変形例は当業者に容易に明らかであり、ここに定義された一般的な原理は開示の精神又は範囲を逸脱することなく、他の変形に適用されることができる。故に、開示はここに説明されている実施例及び設計に限定されることを意図していないが、ここに開示された原理及び新規特徴と整合した最も広い範囲に与えられるべきである。
以下に本件出願当初の特許請求の範囲に記載された発明を付記する。
［Ｃ１］  セルのセル識別（ＩＤ）を決定すること、前記セルのためのシステム時間情報を取得すること、前記セルＩＤ及び前記システム時間情報に基づいて周波数ホッピングで送信に使用する資源を決定すること、を含む、ワイヤレス通信方法。
［Ｃ２］  ユーザ装置（ＵＥ）からセルへの資源に関する送信信号を送信すること、を含むＣ１の方法。
［Ｃ３］  資源に関してユーザ装置（ＵＥ）によってセルに転送される送信信号を受信すること、を更に含む、Ｃ１の方法。
［Ｃ４］  送信信号に使用する前記資源を決定することは、前記セルＩＤ及び前記システム時間情報に基づいて疑似乱数（ＰＮ）発生器を初期化すること、前記ＰＮ発生器によってＰＮシーケンスを生成すること、ＰＮシーケンスに基づいて送信信号に使用する資源決定すること、を含む、Ｃ１の方法。
［Ｃ５］  前記システム時間情報はシステムフレーム番号（ＳＦＮ）を含み、前記ＰＮ発生器を初期化することは無線フレームのための前記セルＩＤ及び前記ＳＦＮに基づいて各無線フレームにおける前記ＰＮ発生器のための初期値を決定すること、前記無線フレームのための前記初期値によって各無線フレームにおける前記ＰＮ発生器を初期化すること、を含む、Ｃ４の方法。
［Ｃ６］  各無線フレームにおける前記ＰＮ発生器のための前記初期値は前記セルＩＤのためのＬ個のビットと前記ＳＦＮのＭ個の最下位ビットビット（ＬＳＢ）のためのＭ個のビットを含む、但し、Ｌ及びＭは各々１以上である、Ｃ５の方法。
［Ｃ７］  前記システム時間情報はシステムフレーム番号（ＳＦＮ）を含み、送信信号に使用する前記資源は前記セルＩＤ及び前記ＳＦＮに基づいて各無線フレームにおいて疑似乱数（ＰＮ）シーケンスを生成すること、ホッピング関数及び前記ＰＮシーケンスに基づいて送信信号に使用するサブバンドを］決定すること、前記サブバンドに基づいて送信信号に使用する前記資源を決定することを含む、Ｃ１の方法。
［Ｃ８］  送信信号に使用する前記資源を決定することは更にミラーリング関数及び前記ＰＮシーケンスに基づいてミラーリングを使用するべきかどうか決定すること、更にミラーリングを使用するかどうかに基づいて前記資源を決定することを含む、Ｃ７の方法。
［Ｃ９］  前記ＰＮシーケンスは前記ＳＦＮの少なくとも１つのビットに基づいて各無線フレームにおいて生成され、前記ホッピング関数は少なくとも２つの無線フレームの周期性を有する、Ｃ７の方法。
［Ｃ１０］  前記ＰＮシーケンスは前記ＳＦＮの２つの最下位ビット（ＬＳＢ）に基づいて各無線フレームにおいて生成され、前記ホッピング関数は４つの無線フレームの周期性を有する、Ｃ７の方法。
［Ｃ１１］  前記システム時間情報はシステムフレーム番号（ＳＦＮ）を含み、前記システム時間情報はシステムフレーム番号（ＳＦＮ）を含み、送信信号に使用する前記資源は前記セルＩＤに基づいて各無線フレームにおいて疑似乱数（ＰＮ）シーケンスを生成すること、前記ＳＦＮに基づいて各無線フレームのためのオフセットを決定すること、ホッピング関数に基づいて送信信号に使用するサブバンドを決定すること、前記サブバンドに基づいて送信信号に使用する前記資源を決定することを含む、Ｃ１の方法。
［Ｃ１２］  送信信号に使用する前記資源を決定することは更にミラーリング関数、前記ＰＮシーケンス及び前記オフセットに基づいてミラーリングを使用するべきかどうかを決定すること、更にミラーリングを使用するかどうかに基づいて送信信号に使用する前記資源を決定することを含む、Ｃ１１の方法。
［Ｃ１３］  前記セルによって送られる放送チャネルから前記システム時間情報を取得することを更に含む、Ｃ１の方法。
［Ｃ１４］  前記システム時間情報が利用できない場合、周波数ホッピングによって送信しないことを更に含む、Ｃ１の方法。
［Ｃ１５］  ランダムアクセス手順の間、周波数ホッピングによって送信しないことを更に含む、Ｃ１の方法。
［Ｃ１６］  周波数ホッピングによって割当を受信すること；前記システム時間情報が利用できない場合、割当を無効として処理すること、を含むＣ１の方法。
［Ｃ１７］  Ｃ７の方法は、前記ＳＦＮが利用できない場合、前記ＳＦＮのためのデフォルト値又はホッピング関数のためのサブバンドのデフォルト数を使用することを更に含む、Ｃ７の方法。
［Ｃ１８］  送信信号に使用する前記資源を決定することは前記セルから少なくとも１つの仮想資源ブロック（ＶＲＢ）の割当を得ること、ホッピング関数及び前記セルＩＤ及び前記システム時間情報に基づいて生成される疑似乱数（ＰＮ）シーケンスに基づいて前記少なくとも１つのＶＲＢを少なくとも１つの物理資源ブロック（ＰＲＢ）にマップすることを含み、前記資源に関する送信信号を送信することは物理的アップリンク共有チャネル（ＰＵＳＣＨ）のための前記少なくとも１つのＰＲＢに関する送信信号を前記ＵＥから前記セルに送信することを含む、Ｃ２の方法。
［Ｃ１９］  セルのセル識別（ＩＤ）を決定する手段と、前記セルのためのシステム時間情報を得る手段と、前記セルＩＤ及び前記システム時間情報に基づいて周波数ホッピングで送信に使用する資源を決定する手段と、ユーザ装置（ＵＥ）からセルへの資源に関する送信信号を送信する手段と、を具備する装置。
［Ｃ２０］  前記システム時間情報はシステムフレーム番号（ＳＦＮ）を含み、送信信号に使用する前記資源を決定する前記手段は前記セルＩＤ及び前記無線フレームのための前記ＳＦＮに基づいて各無線フレームにおいて疑似乱数（ＰＮ）発生器のための初期値を決定する手段と、前記無線フレームのための前記初期値によって各無線フレームにおいて前記ＰＮ発生器を初期化するための手段と、前記ＰＮ発生器によって各無線フレームにおいてＰＮシーケンスを発生する手段と、前記無線フレームのための前記ＰＮシーケンスに基づいて各無線フレームにおいて送信信号に使用する前記資源を決定する手段と、を具備する、Ｃ１９の装置。
［Ｃ２１］  前記システム時間情報はシステムフレーム番号（ＳＦＮ）を含み、送信信号に使用する前記資源を決定する前記手段は前記セルＩＤ及び前記ＳＦＮに基づいて各無線フレームにおいて疑似乱数（ＰＮ）シーケンスを生成する手段と、ホッピング関数及び前記ＰＮシーケンスに基づいて送信信号に使用するサブバンドを決定する手段と、前記サブバンドに基づいて送信信号に使用する前記資源を決定する手段を含む、Ｃ１９の装置。
［Ｃ２２］  送信信号に使用する前記資源を決定する前記手段はミラーリング関数及び前記ＰＮシーケンスに基づいてミラーリングを使用するべきかどうか決定する手段と、更にミラーリングを使用するかどうかに基づいて送信信号に使用する前記資源を決定する手段とを含む、Ｃ２１の装置。
［Ｃ２３］  前記ＰＮシーケンスは前記ＳＦＮの２つの最下位ビット（ＬＳＢ）に基づいて各無線フレームにおいて生成され、前記ホッピング関数は４つの無線フレームの周期性を有する、Ｃ２１の装置。
［Ｃ２４］  放送チャネルから前記セルによって送信される前記システム時間情報を取得する手段は、前記システム時間情報が利用できない場合、周波数ホッピングによって送信しない手段を含む、Ｃ１９の装置。
［Ｃ２５］  送信信号に使用する前記資源を決定する前記手段は前記セルから少なくとも１つの仮想資源ブロック（ＶＲＢ）の割当を得る手段と、ホッピング関数及び前記セルＩＤ及び前記システム時間情報に基づいて生成される疑似乱数（ＰＮ）シーケンスに基づいて前記少なくとも１つのＶＲＢを少なくとも１つの物理資源ブロック（ＰＲＢ）にマッピングする手段とを含み、前記資源に関する送信信号を送信する前記手段は物理的アップリンク共有チャネル（ＰＵＳＣＨ）のための前記少なくとも１つのＰＲＢに関する送信信号を前記ＵＥから前記セルに送信する手段を含む、Ｃ１９の装置。
［Ｃ２６］  セルのセル識別（ＩＤ）を決定し、前記セルのためのシステム時間情報を取得し、前記セルＩＤ及び前記システム時間情報に基づいて資源を周波数ホッピングによって送信信号に使用する資源を決定し、ユーザ装置（ＵＥ）から前記セルに前記資源に関する送信信号を送信するように構成される少なくとも１つのプロセッサにより構成されるワイヤレス通信装置。
［Ｃ２７］  前記システム時間情報はシステムフレーム番号（ＳＦＮ）を含み、前記少なくとも１つのプロセッサは前記セルＩＤ及び前記無線フレームのための前記ＳＦＮに基づいて各無線フレームにおいて疑似乱数（ＰＮ）発生器のための初期値を決定し、前記無線フレームのための前記初期値によって各無線フレームにおいて前記ＰＮ発生器を初期化し、前記ＰＮ発生器によって各無線フレームにおいてＰＮシーケンスを発生し、前記無線フレームのための前記ＰＮシーケンスに基づいて各無線フレームにおいて送信信号に使用する前記資源を決定するように構成される、Ｃ２６の装置。
［Ｃ２８］  前記システム時間情報はシステムフレーム番号（ＳＦＮ）を含み、前記少なくとも１つのプロセッサは前記セルＩＤ及び前記ＳＦＮに基づいて各無線フレームにおいて疑似乱数（ＰＮ）シーケンスを生成し、ホッピング関数及び前記ＰＮシーケンスに基づいて送信信号に使用するサブバンドを決定し、前記サブバンドに基づいて送信信号に使用する前記資源を決定するように構成される、Ｃ２６の装置。
［Ｃ２９］  前記少なくとも１つのプロセッサはミラーリング関数及び前記ＰＮシーケンスに基づいてミラーリングを使用するべきかどうか決定し、更にミラーリングを使用するかどうかに基づいて送信信号に使用する前記資源を決定するように構成される、Ｃ２８の装置。
［Ｃ３０］  前記ＰＮシーケンスは前記ＳＦＮの２つの最下位ビット（ＬＳＢ）に基づいて各無線フレームにおいて生成され、前記ホッピング関数は４つの無線フレームの周期性を有する、Ｃ２８の装置。
［Ｃ３１］  前記少なくとも一つのプロセッサは前記セルによって放送チャネルから送信される前記システム時間情報を取得し、前記システム時間情報が利用できない場合には周波数ホッピングによって送信しないように構成されるＣ２６の装置。
［Ｃ３２］  前記少なくとも１つのプロセッサは前記セルから少なくとも１つの仮想資源ブロック（ＶＲＢ）の割当を取得し、ホッピング関数及び前記セルＩＤ並びに前記システム時間情報に基づいて生成される疑似乱数（ＰＮ）シーケンスに基づいて前記少なくとも１つのＶＲＢを少なくとも１つの物理資源ブロック（ＰＲＢ）にマッピングし、物理的アップリンク共有チャネル（ＰＵＳＣＨ）のための前記少なくとも１つのＰＲＢに関する送信信号を前記ＵＥから前記セルに送信するように構成される、Ｃ２６の装置。
［Ｃ３３］  少なくとも１つのコンピュータにセルのセル識別（ＩＤ）を決定させるコードと、前記少なくとも１つのコンピュータに前記セルのためのシステム時間情報を取得させるコードと、前記少なくとも１つのコンピュータに前記セルＩＤ及び前記システム時間情報に基づいて資源を周波数ホッピングによって送信信号に使用する資源を決定させるコードと、前記少なくとも１つのコンピュータにユーザ装置（ＵＥ）から前記セルに前記資源に関する送信信号を送信させるコードとを含むコンピュータ可読媒体を備えるコンピュータプログラム製品。
【図１】
0005485296.tif 000017
【図２】
0005485296.tif 000018
【図３】
0005485296.tif 000019
【図４Ａ】
0005485296.tif 000020
【図４Ｂ】
0005485296.tif 000021
【図５】
0005485296.tif 000022
【図６】
0005485296.tif 000023
【図７】
0005485296.tif 000024
【図８】
0005485296.tif 000025
【図９】
0005485296.tif 000026
【図１０】
0005485296.tif 000027